(57)【要約】【課題】  携帯電話機が通話状態のまま放置されても通話終了を検出し自動的に通話状態を終了せしめることができる携帯電話機を得る。【解決手段】  制御部３１の動作判断部３２は、通話が開始されるとカメラ装置２１からの入力画像を監視する。そして、入力画像に一定時間変化がない場合には、ユーザは携帯電話を手に持っておらず放置しており通話を行っていないと判断する。その結果、制御部３１は、終話動作を行い通話状態を終了せしめる。【選択図】      図３
2005252505.tif 000002
【特許請求の範囲】
【請求項１】
カメラ装置と、前記カメラ装置からの入力画像を基に通話の終了を判定する判定手段とを含むことを特徴とする携帯電話機。
【請求項２】
前記判定手段は、前記カメラ装置からの入力画像に所定時間動きがない場合に通話終了と判定することを特徴とする請求項１記載の携帯電話機。
【請求項３】
振動を検出する振動検出手段と、前記振動検出手段の検出結果を基に通話の終了を判定する判定手段とを含むことを特徴とする携帯電話機。
【請求項４】
前記判定手段は、前記振動検出手段により所定時間振動が検出されない場合に通話終了と判定することを特徴とする請求項３記載の携帯電話機。
【請求項５】
ユーザによる携帯電話機への接触を検出する接触検出手段と、前記接触検出手段の検出結果を基に通話の終了を判定する判定手段とを含むことを特徴とする携帯電話機。
【請求項６】
前記判定手段は、前記接触検出手段により所定時間ユーザによる携帯電話機への接触が検出されない場合に通話終了と判定することを特徴とする請求項５記載の携帯電話機。
【請求項７】
前記判定手段による通話終了判定に応答して通話状態を終了せしめる制御手段を更に含むことを特徴とする請求項１〜６いずれか記載の携帯電話機。
【請求項８】
報知手段を更に含み、前記制御手段は前記判定手段による通話終了判定に応答して、前記通話状態を終了せしめる前に前記報知手段に前記通話状態を終了せしめる旨を報知させることを特徴とする請求項７記載の携帯電話機。
【請求項９】
カメラ装置を有する携帯電話機の動作制御方法であって、前記カメラ装置からの入力画像を基に通話の終了を判定する判定ステップを含むことを特徴とする動作制御方法。
【請求項１０】
前記判定ステップは、前記カメラ装置からの入力画像に所定時間動きがない場合に通話終了と判定することを特徴とする請求項９記載の動作制御方法。
【請求項１１】
振動を検出する振動検出手段を有する携帯電話機の動作制御方法であって、前記振動検出手段の検出結果を基に通話の終了を判定する判定ステップを含むことを特徴とする動作制御方法。
【請求項１２】
前記判定ステップは、前記振動検出手段により所定時間振動が検出されない場合に通話終了と判定することを特徴とする請求項１１記載の動作制御方法。
【請求項１３】
ユーザによる携帯電話機への接触を検出する接触検出手段を有する携帯電話機の動作制御方法であって、前記接触検出手段の検出結果を基に通話の終了を判定する判定ステップを含むことを特徴とする動作制御方法。
【請求項１４】
前記判定ステップは、前記接触検出手段により所定時間ユーザによる携帯電話機への接触が検出されない場合に通話終了と判定することを特徴とする請求項１３記載の動作制御方法。
【請求項１５】
前記判定ステップによる通話終了判定に応答して通話状態を終了せしめる制御ステップを更に含むことを特徴とする請求項９〜１４いずれか記載の動作制御方法。
【請求項１６】
前記制御ステップは前記判定ステップによる通話終了判定に応答して、前記通話状態を終了せしめる前に前記携帯電話機の報知手段に前記通話状態を終了せしめる旨を報知させることを特徴とする請求項１５記載の動作制御方法。
【請求項１７】
カメラ装置を有する携帯電話機の動作制御方法をコンピュータに実行させるためのプログラムであって、前記カメラ装置からの入力画像を基に通話の終了を判定する判定ステップを含むことを特徴とするプログラム。
【請求項１８】
振動を検出する振動検出手段を有する携帯電話機の動作制御方法をコンピュータに実行させるためのプログラムであって、前記振動検出手段の検出結果を基に通話の終了を判定する判定ステップを含むことを特徴とするプログラム。
【請求項１９】
ユーザによる携帯電話機への接触を検出する接触検出手段を有する携帯電話機の動作制御方法をコンピュータに実行させるためのプログラムであって、前記接触検出手段の検出結果を基に通話の終了を判定する判定ステップを含むことを特徴とするプログラム。
【請求項２０】
前記判定ステップによる通話終了判定に応答して通話状態を終了せしめる制御ステップを更に含むことを特徴とする請求項１７〜１９いずれか記載のプログラム。
【発明の詳細な説明】
【技術分野】
【０００１】
本発明は携帯電話機、その動作制御方法及びプログラムに関し、特に通話の終了を判定し終話動作を行う携帯電話機、その動作制御方法及びプログラムに関する。
【背景技術】
【０００２】
特許文献１には、従来の携帯電話機においてその通話検出部が、基地局と通話チャネルにより接続されているか否かを検出する、あるいはマイク及びレシーバに音声信号が入出力されているかを検出することにより、通話の終了を検出することが記載されている。
【０００３】
【特許文献１】特開２００２−９９３６号公報（第５頁、第３図）
【発明の開示】
【発明が解決しようとする課題】
【０００４】
しかしながら、ユーザが通話終了後に終話キー押下を忘れたまま放置してしまった場合、通話中に寝てしまった場合、不測の事故や携帯電話機の紛失による終話不可能な場合等には、基地局と通話チャネルにより接続されているか否かを検出することにより通話終了を検出する方法では通話終了を検出することができず、また、上記のような場合には、実際には通話していないにも関わらず通話状態になったままになってしまうため、ユーザが意図しない余分な通話料金がかかってしまうという問題がある。
【０００５】
通話相手側が人間で、その事態に気づいて通話相手側から終話する場合は本問題を回避することができるが、相手側も気づいていなかったり、ラジオや自動音声サービス等の場合では本問題を回避することができない。
【０００６】
また、音声信号が入出力されているかを検出することにより通話終了を検出する方法では、通話状態になったまま携帯電話機が放置されていても常に音声が入力されており無音であることを検出できない場合には通話終了を検出することができない。
【０００７】
本発明の目的は、携帯電話機が通話状態のまま放置されても通話終了を検出し自動的に通話状態を終了せしめることができる携帯電話機、その動作制御方法及びプログラムを提供することである。
【課題を解決するための手段】
【０００８】
本発明による携帯電話機は、カメラ装置と、前記カメラ装置からの入力画像を基に通話の終了を判定する判定手段とを含むことを特徴とする。
【０００９】
また、前記携帯電話機において、前記判定手段は、前記カメラ装置からの入力画像に所定時間動きがない場合に通話終了と判定することを特徴とする。
【００１０】
本発明による別の携帯電話機は、振動を検出する振動検出手段と、前記振動検出手段の検出結果を基に通話の終了を判定する判定手段とを含むことを特徴とする。
【００１１】
また、前記携帯電話機において、前記判定手段は、前記振動検出手段により所定時間振動が検出されない場合に通話終了と判定することを特徴とする。
【００１２】
本発明による他の携帯電話機は、ユーザによる携帯電話機への接触を検出する接触検出手段と、前記接触検出手段の検出結果を基に通話の終了を判定する判定手段とを含むことを特徴とする。
【００１３】
また、前記携帯電話機において、前記判定手段は、前記接触検出手段により所定時間ユーザによる携帯電話機への接触が検出されない場合に通話終了と判定することを特徴とする。
【００１４】
また、前記携帯電話機において、前記判定手段による通話終了判定に応答して通話状態を終了せしめる制御手段を更に含むことを特徴とする。
【００１５】
また、前記携帯電話機において、報知手段を更に含み、前記制御手段は前記判定手段による通話終了判定に応答して、前記通話状態を終了せしめる前に前記報知手段に前記通話状態を終了せしめる旨を報知させることを特徴とする。
【００１６】
本発明による動作制御方法は、カメラ装置を有する携帯電話機の動作制御方法であって、前記カメラ装置からの入力画像を基に通話の終了を判定する判定ステップを含むことを特徴とする。
【００１７】
本発明による別の動作制御方法は、振動を検出する振動検出手段を有する携帯電話機の動作制御方法であって、前記振動検出手段の検出結果を基に通話の終了を判定する判定ステップを含むことを特徴とする。
【００１８】
本発明による他の動作制御方法は、ユーザによる携帯電話機への接触を検出する接触検出手段を有する携帯電話機の動作制御方法であって、前記接触検出手段の検出結果を基に通話の終了を判定する判定ステップを含むことを特徴とする。
【００１９】
本発明によるプログラムは、カメラ装置を有する携帯電話機の動作制御方法をコンピュータに実行させるためのプログラムであって、前記カメラ装置からの入力画像を基に通話の終了を判定する判定ステップを含むことを特徴とする。
【００２０】
本発明による別のプログラムは、振動を検出する振動検出手段を有する携帯電話機の動作制御方法をコンピュータに実行させるためのプログラムであって、前記振動検出手段の検出結果を基に通話の終了を判定する判定ステップを含むことを特徴とする。
【００２１】
本発明による他のプログラムは、ユーザによる携帯電話機への接触を検出する接触検出手段を有する携帯電話機の動作制御方法をコンピュータに実行させるためのプログラムであって、前記接触検出手段の検出結果を基に通話の終了を判定する判定ステップを含むことを特徴とする。
【００２２】
ユーザは携帯電話機を手に持って通話を行うため、カメラ装置からの入力画像を基にユーザが携帯電話機を手に持っているか否かを検出して通話の終了を判定する。また、ユーザが携帯電話機を手に持っているか否かは振動検出手段や接触検出手段によっても検出することができるので、その検出結果を基に通話の終了を判定することもできる。これにより、通話終了と判定された場合には、制御手段により通話状態を終了せしめることで、実際には通話していないにもかかわらず通話状態になったままになってしまうという状況を回避することができる。
【発明の効果】
【００２３】
本発明による効果は、携帯電話機が通話状態のまま放置されても通話終了を検出し自動的に通話状態を終了せしめることができることである。その理由は、携帯電話機にカメラ装置を搭載し、そのカメラ装置からの入力画像を基に通話の終了を判定するようにしたためである。また、携帯電話機に振動検出手段または接触検出手段を搭載し、その検出結果を基に通話の終了を判定するようにしたためである。
【発明を実施するための最良の形態】
【００２４】
以下、本発明の実施例について図面を参照して説明する。
【００２５】
図１は本発明の第１の実施例による携帯電話機を正面から見た図であり、図２は本発明の第１の実施例による携帯電話機を背面から見た図であり、図３は本発明の第１の実施例による携帯電話機の構成を示す内部ブロック図である。本発明の第１の実施例による携帯電話機は、アンテナ１１と、送話装置１２と、表示装置１３と、入力装置１４と、受話装置１５と、無線部１６と、カメラ装置２１と、制御部３１と、記憶装置３３とを有している。
【００２６】
送話装置１２は、通話時に自分の音声を入力する装置である。表示装置１３は、ユーザからのキー入力時における入力支援のための表示を行う装置である。入力装置１４は、通話終了後に終話を行うためのキー等のユーザからの入力を行う装置である。受話装置１５は、通話時に相手の音声を出力する装置である。無線部１６は、アンテナ１１を介して通信のための無線電波を送受信する。カメラ装置２１は、写真撮影及び終話判定を行うための画像情報を取得する装置である。
【００２７】
制御部３１は、携帯電話機各部の動作を制御し、動作判断部３２を有している。動作判断部３２は、カメラ装置２１からの入力画像を基に通話の終了を判断する。記憶装置３３は、終話判定に用いるためのユーザが動作したかどうかを示すフラグ（以降、動作フラグと称す）、ユーザが無動作だった時間（以降、無動作時間と称す）、無動作時間と比較され終話と判定するための閾値（以降、終話時間と称す）、及びカメラ装置２１からの入力画像を記憶する装置である。
【００２８】
ユーザは通話を行う場合、図４に示すように本実施例の携帯電話機を手で持ち、受話装置１５を耳に当て、送話装置１２が口の近くになるような角度に向けた上で、通話を行う。このとき、携帯電話機背面のユーザの手によって覆われない位置に搭載されたカメラ装置２１は、ユーザの周囲を向くことになるため、カメラ装置２１を起動しておくとユーザの周囲の風景を写す。このカメラ装置２１からの入力画像を一定間隔で監視し、終話判定を行う。
【００２９】
図５は本発明の第１の実施例による携帯電話機の動作を示すフローチャートである。図５は通話開始時から通話終了までの動作を示している。図５において、まず、通話が開始されると、制御部３１はカメラ装置２１を起動し、カメラ装置２１から入力画像を取得して記憶装置３３に格納する（ステップＳ１）。次に、本発明で使用するパラメータを初期化する。制御部３１は、無動作時間（変数Ｔとおく）を０秒、動作フラグ（変数Ｆとおく）を偽と設定し、記憶装置３３に格納する（ステップＳ２）。ここで、動作フラグは真または偽の２値を持つものであり、偽とはユーザの動作が未検出の状態を示し、真とはユーザの動作を検出した状態を示す。
【００３０】
その後、通話開始から所定時間（本例では１秒）経過するまで待機する。１秒経過後（ステップＳ３）、制御部３１は、記憶装置３３に格納している無動作時間Ｔを１秒インクリメントし（ステップＳ４）、判定処理を行う（ステップＳ５）。
【００３１】
図６は図５のステップＳ５における判定処理のフローチャートである。図６において、まず、制御部３１は現時点でのカメラ入力画像を動作判断部３２へ取得する（ステップＳ５１）。そして、動作判断部３２は、今回取得した画像と記憶装置３３に格納されている前回取得した画像とを比較することにより、ユーザが動作しているかどうか（ユーザが携帯電話機を手に持っているかどうか）を判定する（ステップＳ５２）。
【００３２】
ユーザは携帯電話機を手に持って通話を行うため、携帯電話機の送受話装置とは異なる面に搭載しているカメラ装置２１からの入力画像を監視し続けた場合、画像の背景成分が長時間静止していることは殆どなく、少なからず動き（変化）が生じる。携帯電話機が手から離れ放置された場合、入力画像の背景成分は静止したままとなる。このカメラ入力画像の背景成分の動きを終話判定として使用する。
【００３３】
したがって、ステップＳ５２において、動作判断部３２は、今回取得した画像と前回取得した画像との背景成分の比較を行い、背景成分が動いているかどうかを判定する。例えば、カメラ入力画像の背景中のエッジ成分の位置を比較して判定を行う。画像の中の人や動きのある物体（被写体）は、ユーザが携帯電話機を手に持っているかどうかに関わらず、画像の中で移動する可能性があるため、本実施例では終話判定には使用しないようにしている。
【００３４】
背景成分が動いておりユーザが動作していると判定された場合、すなわちユーザが携帯電話機を手に持ち通話を行っていると判断された場合は（ステップＳ５２）、動作フラグＦを真とし、記憶装置３３に格納する（ステップＳ５３）。その後、制御部３１は前回取得した画像を破棄し、今回取得した画像を次回の判定のために記憶装置３３に格納する（ステップＳ５４）。
【００３５】
そして、図５に戻り、記憶装置３３に格納している動作フラグＦが真かどうか判定する（ステップＳ６）。動作フラグＦが真の場合は、再び、無動作時間Ｔを０秒、動作フラグＦを偽に設定し（ステップＳ７）、次の１秒経過まで待機する（ステップＳ３）。動作フラグＦが偽の場合は、制御部３１は無動作時間Ｔが記憶装置３３に格納している終話時間を超えたかどうか判定する（ステップＳ８）。終話時間については、予めある一定の値を格納しているものとするが、ユーザが入力装置１４を使用して設定を行い、任意の値を格納してもよい。
【００３６】
無動作時間Ｔが終話時間を超えている場合は、ユーザは一定時間携帯電話を放置しており通話は終了していると判断して、制御部３１は、カメラ装置２１を終了すると共に、終話動作を行い通話状態を終了させる（ステップＳ９）。無動作時間Ｔが終話時間を超えていない場合は、再び次の１秒経過まで待機する（ステップＳ３）。
【００３７】
以上説明したように、本発明の第１の実施例では、ユーザが携帯電話機の終話を行えず携帯電話機が通話状態のまま放置されても、カメラ装置２１からの入力画像を基に通話の終了を判定することにより自動的に終話を行うようにしているので、ユーザが意図しない余分な通話時間を削減することができる。
【００３８】
また、通話の終了を判定し自動的に終話を行うので、手が塞がっていてユーザが終話キーを押下できない場合でも、終話することを可能とし、ユーザの利便性を確保することができる。
【００３９】
次に、本発明の第２の実施例について図面を参照して説明する。図７は本発明の第２の実施例による携帯電話機の構成を示す内部ブロック図であり、図３と同等部分は同一符号にて示している。
【００４０】
本発明の第１の実施例では、カメラ入力画像を基にユーザが通話を行っているかを判断していたが、本発明の第２の実施例では、振動センサ７１を実装し、携帯電話の振動によってユーザが通話を行っているかを判断する。
【００４１】
本発明の第２の実施例による携帯電話機の構成は、振動センサ７１及び動作判断部７２以外は、図３に示す構成と同一である。振動センサ７１は、携帯電話が動いたかどうかを検知する装置であり、振動を検知したら動作判断部７２にその旨を通知する。動作判断部７２は、振動センサの検知結果を基にユーザが動作したかどうかを判断する装置である。
【００４２】
図８は本発明の第２の実施例による携帯電話機の動作を示すフローチャートである。図８において、まず、通話が開始されると、制御部３１は、無動作時間Ｔを０秒、動作フラグＦを偽と設定し、記憶装置３３に格納する（ステップＴ１）。その後、通話開始から所定時間（本例では１秒）経過するまで待機する。１秒経過後（ステップＴ２）、制御部３１は無動作時間Ｔを１秒インクリメントし（ステップＴ３）、判定処理を行う（ステップＴ４）。
【００４３】
図９は図８のステップＴ４における判定処理のフローチャートである。図９において、動作判断部７２は振動センサ７１の検知結果を受け（ステップＴ４１）、振動を検知しておりユーザが動作している（ユーザが携帯電話機を手に持っている）と判断された場合は（ステップＴ４２）、動作フラグＦを真とし、記憶装置３３に格納する（ステップＴ４３）。一方、振動が検知されずユーザが動作していない（ユーザが携帯電話機を手に持っていない）と判断された場合は（ステップＴ４２）、このフローを終了する。
【００４４】
そして、図８に戻り、記憶装置３３に格納している動作フラグＦが真かどうか判定する（ステップＴ５）。動作フラグＦが真の場合は、再び、無動作時間Ｔを０秒、動作フラグＦを偽に設定し（ステップＴ６）、次の１秒経過まで待機する（ステップＴ２）。動作フラグＦが偽の場合は、制御部３１は無動作時間Ｔが記憶装置３３に格納している終話時間を超えたかどうか判定する（ステップＴ７）。
【００４５】
無動作時間Ｔが終話時間を超えている場合は、ユーザは一定時間携帯電話を放置しており通話は終了していると判断して、制御部３１は終話動作を行い通話状態を終了させる（ステップＴ８）。無動作時間Ｔが終話時間を超えていない場合は、再び次の１秒経過まで待機する（ステップＴ２）。
【００４６】
以上説明したように、本発明の第２の実施例では、ユーザが携帯電話機の終話を行えず携帯電話機が通話状態のまま放置されても、振動センサ７１の検知結果を基に通話の終了を判定することにより自動的に終話を行うようにしているので、ユーザが意図しない余分な通話時間を削減することができる。
【００４７】
また、通話の終了を判定し自動的に終話を行うので、手が塞がっていてユーザが終話キーを押下できない場合でも、終話することを可能とし、ユーザの利便性を確保することができる。
【００４８】
次に、本発明の第３の実施例について図面を参照して説明する。図１０は本発明の第３の実施例による携帯電話機の構成を示す内部ブロック図であり、図３と同等部分は同一符号にて示している。
【００４９】
本発明の第１の実施例では、カメラ入力画像を基にユーザが通話を行っているかを判断していたが、本発明の第３の実施例では、接触センサ８１を実装し、ユーザによる携帯電話機への接触によってユーザが通話を行っているかを判断する。
【００５０】
本発明の第３の実施例による携帯電話機の構成は、接触センサ８１及び動作判断部８２以外は、図３に示す構成と同一である。接触センサ８１は、ユーザが携帯電話機に触れているかどうかを検知する装置であり、接触を検知したら動作判断部８２にその旨を通知する。なお、ユーザが携帯電話機を手に持っていることを検出できるように、接触センサ８１は例えば携帯電話機の側面に設けられる。動作判断部８２は、接触センサ８１の検知結果を基にユーザが動作したかどうかを判断する装置である。
【００５１】
本発明の第３の実施例による携帯電話機の動作は図８及び９に示した動作と同様であり、異なる点についてのみ説明する。図９において、動作判断部８２は接触センサ８１の検知結果を受け（ステップＴ４１）、接触を検知しておりユーザが携帯電話機を手に持っていると判断された場合は（ステップＴ４２）、動作フラグＦを真として記憶装置３３に格納し（ステップＴ４３）、図８のステップＴ５に進む。一方、接触が検知されずユーザが携帯電話機を手に持っていないと判断された場合は（ステップＴ４２）、図８のステップＴ５に進む。
【００５２】
したがって、本発明の第３の実施例においても、ユーザが携帯電話機の終話を行えず携帯電話機が通話状態のまま放置されても、接触センサ８１の検知結果を基に通話の終了を判定して自動的に終話を行うことができるので、ユーザが意図しない余分な通話時間を削減することができる。
【００５３】
また、通話の終了を判定し自動的に終話を行うので、手が塞がっていてユーザが終話キーを押下できない場合でも、終話することを可能とし、ユーザの利便性を確保することができる。
【００５４】
上記第１〜第３の実施例では、ユーザが実際には通話中であるにも関わらず、終話時間内にユーザの動作を検出しなかったことによって終話を行ってしまう可能性があるため、図５のステップＳ８や図８のステップＴ７において無動作時間が終話時間を超えていたならば、ステップＳ９やステップＴ８において終話を行う一定時間前に、制御部３１は受話装置１５より通知音を鳴らし、ユーザに一定時間後に終話を行う旨を通知するようにしてもよい。なお、この通知は、受話装置１５に限らず、例えば携帯電話機の図示せぬバイブレータ等の他の報知手段によって行うようにしてもよい。これによって、ユーザが携帯電話の向きを動かすことで、通話中にも関わらず終話してしまう問題を回避することができ、ユーザの利便性を図ることができる。
【００５５】
また、上記第１〜第３の実施例では、ユーザの動作を検知できなかった場合に終話を行うが、これを終話ではなくミュートに変更することも可能である。これにより、ユーザはキー入力等によるミュート設定を行なわなくても、携帯電話を放置することによりユーザ側の音声が通話相手側に伝わらないようミュート可能なため、ユーザの利便性を確保することができる。
【００５６】
この場合は、図５のステップＳ９や図８のステップＴ８において、終話を行うのではなくミュートを行うよう変更する。ミュート設定後も通話状態は継続するため、ステップＳ９でのカメラ装置２１の自動終了は行わないこととする。また、ミュート中にユーザの動作を検知した場合、直ちにミュートを解除するようにしてもよい。
【００５７】
なお、図５，６，８及び９に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【図面の簡単な説明】
【００５８】
【図１】本発明の第１の実施例による携帯電話機を正面から見た図である。
【図２】図１の携帯電話機を背面から見た図である。
【図３】図１の携帯電話機の構成を示す図である。
【図４】通話時における図１の携帯電話機の使用例を示す図である。
【図５】本発明の第１の実施例による携帯電話機の動作を示すフローチャートである。
【図６】本発明の第１の実施例による携帯電話機の動作を示すフローチャートである。
【図７】本発明の第２の実施例による携帯電話機の構成を示す図である。
【図８】本発明の第２の実施例による携帯電話機の動作を示すフローチャートである。
【図９】本発明の第２の実施例による携帯電話機の動作を示すフローチャートである。
【図１０】本発明の第３の実施例による携帯電話機の構成を示す図である。
【符号の説明】
【００５９】
１１    アンテナ
１２    送話装置
１３    表示装置
１４    入力装置
１５    受話装置
１６    無線部
２１    カメラ装置
３１    制御部
３２，７２，８２    動作判断部
３３    記憶装置
７１    振動センサ
８１    接触センサ
【図１】
2005252505.tif 000003
【図２】
2005252505.tif 000004
【図３】
2005252505.tif 000005
【図４】
2005252505.tif 000006
【図５】
2005252505.tif 000007
【図６】
2005252505.tif 000008
【図７】
2005252505.tif 000009
【図８】
2005252505.tif 000010
【図９】
2005252505.tif 000011
【図１０】
2005252505.tif 000012